(57)【要約】 【課題】環状装身具の身体への着脱を容易にするとともに１つで様々な断面形状・サイズの装着部位に容易に対応可能として優れた装着性及び美観を実現する。【解決手段】本体両端部側を互いに連結することで環状体となり身体に装着される環状装身具の留め具２Ａにおいて、本体両端部から延設された一対の紐状心材５Ａ，５Ａに、両端面側が互いに異極となるとともに両端面を貫通する挿通孔４１が設けられた永久磁石からなる複数の柱状体４が、対向する端面側同士が同極となるように遊動自在に挿通されるとともに末端側を抜脱不能にして連設され、隣り合う柱状体４，４同士が磁気反発により略同一間隔を維持しながら所定範囲で湾曲変形自在な一組の線状係止部３Ａ，３Ａを形成しており、身体装着時に一組の線状係止部３Ａ，３Ａを並列させることにより異極の柱状体４側面同士が互いに吸着して並列部分が係止され、全体として環状体を形成させるものとした。【選択図】図２
0003120382.tif 000002
【実用新案登録請求の範囲】
【請求項１】
本体両端部側を互いに連結することで環状体となり身体に装着される環状装身具の留め具において、
前記本体両端部から延設された一対の紐状心材に、両端面側が互いに異極となるとともに該両端面を貫通する挿通孔が設けられた永久磁石からなる複数の柱状体が、対向する前記端面側同士が同極となるように遊動自在に挿通されるとともに末端側を抜脱不能にして連設され、隣り合う前記柱状体同士が磁気反発により略同一間隔を維持しながら所定範囲で湾曲変形自在な一組の線状係止部を形成しており、身体装着時に前記一組の線状係止部を並列させることにより異極の柱状体側面同士が互いに吸着して並列部分で係止され、全体として前記環状体を形成させるものとされている、
ことを特徴とする環状装身具の留め具。
【請求項２】
前記柱状体は、所定の極性の端面に開口した前記挿通孔の開口部が他の極性の端面の開口部よりも大径とされ、前記開口部の径の大きさで各端面側の極性を判定可能とされている、ことを特徴とする請求項１に記載した環状装身具の留め具。
【請求項３】
前記隣り合う柱状体で形成される間隔の一部または全部に、挿通孔を有する装飾体を挿通して配設したことを特徴とする請求項１または２に記載した環状装身具の留め具。
【請求項４】
請求項１，２または３に記載した留め具を備えた環状装身具。
【請求項５】
前記線状係止部の少なくとも一方が、係止状態での前記環状体の径を手首の太さから足首の太さまで調整して対応可能な長さを有するものとされ、少なくともブレスレットとアンクレットを兼用できるものとされている、ことを特徴とする請求項４に記載した環状装身具。
【請求項６】
前記線状係止部の少なくとも一方が、係止状態での前記環状体の径を少なくとも首の太さまで調整して対応可能な長さとされ、少なくともネックレスまたはチョーカーとして使用できるものとされている、ことを特徴とする請求項４または５に記載した環状装身具。
【請求項７】
全体が前記線状係止部からなることを特徴とする請求項４，５または６に記載した環状装身具。
【考案の詳細な説明】
【技術分野】
【０００１】
本考案は、留め具及びそれを備えた環状装身具に関し、殊に身体装着時にブレスレット、アンクレット、ネックレス等の本体両端部側を繋げて環状とさせるための留め具、及びそれを備えた環状装身具に関する。  
【背景技術】
【０００２】
ブレスレットやアンクレット、或いはネックレスやチョーカーなどの環状装身具は、その開放端となる本体両端部側に一対の止着金具等の留め具を設けて端部同士を繋げ、所定サイズの環状体として身体に装着するものが一般的である。しかし、斯かる留め具は極めて小さなネジやフックを備えて形状が複雑であるため着脱作業に手間のかかる場合が多く、殊に手先が器用に動かない使用者には容易な作業ではなかった。また、これらの留め具では装身具のサイズ（環状体の径）を変更できないか、或いは変更できても極めて僅かな範囲しか変更できなかったり面倒な作業を伴ったりして、サイズ面での対応性が充分ではなかった。
【０００３】
これに対し、Ｃ字状やコイル状に保形され弾性復元力を備えたリング等を心材とした環状装身具も知られており、全体的に拡径させて身体の一部を通した後に弾性復元力で縮径して身体に装着されるものが実用化されている。例えば、鋼線からなるＣ字状リングの二つの開放端に永久磁石からなる球体をそれぞれ設けたいわゆる磁気健康ブレスレットや、螺旋状の弾性装飾体からなるアンクレットが知られている。
【０００４】
さらに、特開２００４−１６６８９５号には、Ｃ字状の弾性復元力を備えたリングに複数の永久磁石を互いに等間隔となるように挿通し両端部に抜け止めを設けてなる装飾体が提示され、実登第３０４２１７３号には、コイル状に保形された弾性を有する線材に複数の永久磁石とスペーサとを交互に挿通してなり装着時に周方向に並んだ永久磁石の側面同士が吸着して固定状態を維持するものが提示されている。これらは、リング状またはコイル状とされた線体の弾性復元力で拡径及び縮径することにより、複雑な留め具を用いることなく比較的容易に着脱することができ、しかも所定範囲内でのサイズ変更にも対応可能としている。しかも、永久磁石を装飾体として用いたことで、装飾性に加えて磁気作用による身体の血流改善等、健康増進効果もある程度期待できるものである。
【０００５】
しかしながら、これら弾性復元力を備えて所定形状に保形された弾性線体を心材とする装身具は、１つで様々な断面形状・サイズを有する身体の各装着部位に共用する場合を考えた場合、例えばブレスレットをそれよりも大径のアンクレットとして用いることは困難であり、これをさらに大径のネックレス等に用いることは一層困難である。また、使用者ごとに装着部位の断面形状や太さが異なることから、装身具が装着部位にフィットせずに隙間が空いたり、或いは逆に締付けすぎたりして、１つの環状装身具で様々な使用者及び装着部位における装着性及び美観を実現することが困難となっている。
【特許文献１】特開２００４−１６６８９５号公報
【特許文献２】実登第３０４２１７３号公報
【考案の開示】
【考案が解決しようとする課題】
【０００６】
本考案は、上記のような問題点を解決しようとするものであり、環状装身具の身体への着脱を容易にすることに加え、１つの環状装身具で様々な断面形状・サイズの装着部位に容易に対応可能として、優れた装着性及び美観を実現できるようにすることを課題とする。
【課題を解決するための手段】
【０００７】
そこで、本考案は、本体両端部側を互いに連結することで環状体となって身体に装着される環状装身具の留め具において、本体両端部から延設された一対の紐状心材に、両端面側が互いに異極となるとともにこの両端面を貫通する挿通孔が設けられた永久磁石からなる複数の柱状体が、対向する端面側同士が同極となるように遊動自在に挿通されるとともに末端側を抜脱不能にして連設され、隣り合う柱状体同士が磁気反発により略同一間隔を維持しながら所定範囲で湾曲変形自在な一組の線状係止部を形成しており、身体装着時にこの一組の線状係止部を並列させることにより異極の柱状体側面同士が互いに吸着して並列部分が係止され、全体として環状体を形成させるものとした。
【０００８】
このように、複数の永久磁石を挿通して湾曲変形可能とした一組の線状係止部からなる留め具としたことで、異極となる側面同士を並列させて吸着・係止することにより容易に身体に装着することができ、吸着力に抗して線状係止部の並列部分を引き離すことで容易に取り外すこともでき、且つ、柱状体１つ置きのピッチで多段階に径を調整可能なものとなる。しかも、線状係止部が保形された弾性部材ではなく紐状心材からなるため、身体装着部の断面形状に沿って細かく変形して密着しやすいものとなる。尚、同極の端面同士が対向するように柱状体を連設したことで磁力線がその間隔部分から遠心方向に集中し、これが並列することにより強力な磁力線が更に遠心方向に広がるものとなって、装着部への磁力線効果も強力なものとなる。
【０００９】
また、この環状装飾具の留め具において、用いる柱状体を、所定の極性を示す端面に開口した挿通孔の開口部が他の極性を示す端面の開口部よりも大径となるようにし、開口部の径の大きさで各端面側の極性を判定可能なものとすれば、紐状心材に柱状体を挿通する際にその向きの決定が容易になり、留め具の作成作業が容易なものとなる。
【００１０】
さらに、上述した環状装身具の止め具において、隣り合う柱状体で形成される間隔の一部または全部に、挿通孔を有する装飾体を挿通して設けたものとすれば、留め具自体の美観を向上させることができる。
【００１１】
さらにまた、上述した留め具を備えた環状装身具として提供すれば上述した各作用を容易に得られるようになるが、その環状装身具は、線状係止部の少なくとも一方が、係止状態での環状体の径を手首の太さから足首の太さまで調整して対応可能な長さを有するものとされ、少なくともブレスレットとアンクレットを兼用できるものとすれば、１つで２種類以上の環状装身具として利用できるようになる。
【００１２】
加えて、上述した環状装身具を、線状係止部の少なくとも一方が係止状態での環状体の径を少なくとも首の太さまで調整して対応可能な長さとされ、少なくともネックレスまたはチョーカーとして使用できるものとすれば、さらに使用用途の広いものとなる。
【００１３】
さらに加えて、上述した環状装身具を、全体が線状係止部からなるものとすれば、線状係止部を形成する柱状体が全体に亘って装飾物を構成して優れた美観を呈するものとなり、しかも巻き付くように身体に固定された外観が特徴的な美観を呈するとともに、その重畳した並列部分がデザイン上のアクセントにもなる。
【考案の効果】
【００１４】
複数の柱状体を連設してなりその磁気吸着で互いに係止される一対の線状係止部を備えた本考案によると、環状装身具の身体への着脱を極めて容易にすることができ、またその線状係止部が湾曲変形可能であるとともに多段階で径を変更可能としたことにより、様々な断面形状・サイズの装着部位に容易に対応できるものとなって、優れた装着性及び美観を実現することができるものである。
【考案を実施するための最良の形態】
【００１５】
以下に、図面を参照しながら本考案を実施するための最良の形態について説明する。
【００１６】
先ず、図１乃至図３を用いて、本考案における環状装身具の留め具について基本的な構成・作用を説明する。図１に示す留め具２Ａの部分平面図を参照して、留め具２Ａは、図示しない環状装身具の本体両端部から延設された紐状心材としてのワイヤ５Ａ，５Ａに、円柱状部材の中心軸線に沿って両端面を挿通孔４１（図２参照）が貫通してなる柱状体４が、それぞれ遊動自在に所定個数挿通されてなる線状係止部３Ａ，３Ａを備えている。
【００１７】
線状係止部３Ａの拡大した部分縦断面図を示す図２（Ａ）を参照して、柱状体４はその中心軸線に沿う方向に着磁されて一方の端面側がＮ極、他方の端面側がＳ極とされた永久磁石からなる。永久磁石の種類としては特に限定はないが、加工の容易さ・コスト面の観点から一般的なネオジム磁石でよく、審美性・耐久性・身体非刺激性の観点からニッケルメッキや金メッキ等の光沢性で比較的安定的な表面処理を施してあるものが推奨される。尚、このように円柱状の永久磁石を用いたことにより、その中心軸部分を挿通孔が貫通しても磁力の低下が比較的少ないものとなり、装着・固定時の吸着力および身体への磁気作用を確保し易いものとなっている。
【００１８】
そして、同極を示す端面同士が対向するように向きを交互に変えながら所定個数の柱状体４を挿通した後、末端側をワイヤ５Ａに設けたカシメ金具５１で脱抜不能な状態としてあり、本来遊動自在である隣り合う柱状体４，４同士が、互いに所定距離に近接することで磁気反発してほぼ同一幅の間隔を維持するものとなっている。このように、複数の柱状体４が適度な間隔を有して反発し合うことで、線状係止部３Ａは湾曲変形自在であるとともに湾曲時の曲線が滑らかな状態となって、装着部位の形状にフィットしやすく、且つ装着時の美観にも優れたものとなる。
【００１９】
図２（Ｂ）の留め具２Ａ固定時の線状係止部３Ａ，３Ａの状態を示す拡大した部分縦断面図を参照して、線状係止部３Ａ，３Ａを互いに対向する向きで並列して近接させることにより、並んだ柱状体４，４の異極となる端部同士が吸着し合って、その部分の側面同士が密着・係止した状態となっている。線状係止部３Ａ，３Ａによる固定方法を説明するための図３（Ａ），（Ｂ），（Ｃ）に示すように、線状係止部３Ａ，３Ａが互いに重畳する並列部分は、並んだ柱状体４，４の極性の組合せの関係から、サイズ調整の際、並列した柱状体４，４の組合せが１つ置きのピッチとなる１個，３個，５個，７個，・・・の奇数単位で多段階に実施できるものとなる。
【００２０】
また、線状係止部３Ａ，３Ａは所定範囲で湾曲変形自在であるため、並列部分も装着部位に合わせてある程度変形可能であり、極めて装着性に優れたものとなっている。さらに、環状装身具を外すときは、線状係止部３Ａ，３Ａの各先端側を指で持ち、吸着力に抗して引き離すことにより比較的容易に係止状態を解除して外すことができる。
【００２１】
尚、図２（Ａ）に示すように、柱状体４を貫通する挿通孔４１は、ワイヤ５Ａよりもやや径の大きな小径部４１ａと、それよりも大きな径の大径部４１ｂとからなり、大径部４１ｂがＳ極側の端面に開口している。これにより、端面の開口部の径を見るだけで極性の向きを知ることが可能となり、留め具２Ａの作成を容易なものとしている。また、大径部４１ｂがあることで、図に示すようにカシメ金具５１をワイヤ５Ａ末端側に設けた場合にこれを収装する向きで配置すれば、これが露出せずに環状装身具の美観を損なわないものとなる。
【００２２】
さらに、紐状心材はワイヤ５Ａのように細い鋼線を撚ったものに限定されず、所定の耐久性・強度・柔軟性を持つものであれば他の素材を用いてもよい。しかも、本考案において柱状体４が互いに反発して所定間隔を維持することにより、紐状心材と柱状体４の挿通孔４１とが摩擦しにくいものとなっており、柱状体４からの摩擦粉の発生や紐状心材の摩耗が少ない点も利点となっている。
【００２３】
次に、上述した構成の留め具を用いる環状装身具の具体的な実施の形態について、以下に図４乃至図１０を用いて説明する。
【００２４】
図４は本考案の第一の実施の形態のブレスレットとアンクレットを兼ねることのできる環状装身具１Ｂを示している。環状装身具１Ｂは、僅かに湾曲した金属片からなる装飾体６０の両端から、上述した留め具２Ａと同様の構成を持つ留め具２Ｂが延設されてなるものである。この環状装身具１Ｂを身体に装着する場合は、図３（Ｃ）と同様に並列部分の柱状体４の数を５組以上の多数にすれば手首への装着に適した径となり、図３（Ｂ）と同様に並列部分の柱状体４の数を３組以下の少数にすれば足首への装着に適した径となる。このような構成の環状装身具１Ｂは、１つでブレスレットとアンクレットの２種類の共用が可能となり、しかも着脱作業が容易であることに加え、サイズ調整も極めて容易である。
【００２５】
図５は、本考案の第二の実施の形態のネックレスまたはチョーカーとして使用することのできる環状装身具１Ｃを示している。環状装身具１Ｃは、チェーン７０の両端側に上述した留め具２Ａと同様の留め具２Ｃが設けられている。この場合も着脱が容易であるとともにサイズ調整が容易な点は上述と同様であるが、本実施の形態では、留め具２Ｃ自体が環状装身具１Ｃの装飾体をも兼ねている点に特徴がある。即ち、安価で光沢に優れたニッケルメッキ、或いは豪華な印象を与える金メッキ等で表面加工された柱状体４が、宝飾と同様な視覚効果を発揮するとともに、線状係止部３Ｃ，３Ｃの重畳した並列部分がデザイン上のアクセントとなっている。
【００２６】
図６乃至図８は、本考案の第三の実施の形態のブレスレット、アンクレット、ネックレス、チョーカーを兼ねることのできる環状装身具１Ｄを示している。環状装身具１Ｄは、上述した実施の形態と異なり、装身具全体が留め具２Ｄのみから構成され他に装飾体を有していない点に特徴がある。例えば、一般的な体格の使用者においては５０ｃｍ程度の長さのものが使用されるが、その全長に亘ってワイヤ５Ｄに複数の柱状体４が挿通されて連設された状態となっている。
【００２７】
そして、環状装身具１Ｄのブレスレットとしての使用状態を示す斜視図である図７を参照して、環状装身具１Ｄは一点鎖線で示す手首にコイル状に巻き付いた状態で係止・固定され、二重に並列している部分と三重に並列している部分がある。また、並列した柱状体４同士が吸着していることで、手首への固定力が堅固となって激しい動きでも脱落することがないものとなっている。また、全体として蛇が巻き付いたような外観を呈しており、ブレスレットのデザインとしても特徴的である。
【００２８】
図８（Ａ），（Ｂ），（Ｃ）はこの環状装身具１Ｄを手首、足首、首に装着した状態を説明するための図であり、破線は身体各部位の断面形状を示している。図に示すように、環状装身具１Ｄは様々な径サイズに対応することができ、また身体各部位の断面形状に沿って装着されており、優れた装着性を発揮するものである。尚、環状装身具１Ｄは、このようにその全長に亘って永久磁石からなる柱状体が連設されていることから、磁気作用による優れた健康増進効果も期待できる。殊に、対向する柱状体４，４の端面同士が同じ極性を有することから磁力線が外に強く広がるとともに、重畳した並列部分があることで一層大きな磁気作用が期待できるものである。
【００２９】
即ち、流体中に粉状磁性体を拡散して封入した磁界視認用装置に永久磁石を備えた対象物を近接させて磁力が所定の強さ以上となる範囲を比較するための図１０（Ａ），（Ｂ），（Ｃ）を参照して、（Ａ）に示す複数の柱状体４を極性が同方向になるように並べて間に非磁性体からなるスペーサを介設した従来の装飾体においては、所定強さ以上の範囲が斜線で示す狭い範囲に止まり、遠心方向に殆ど広がっていないのに対し、（Ｂ）に示す複数の柱状体４を極性が交互に異なるように並べた本考案による装飾体では、所定強さ以上の範囲が遠心方向に広がり、さらに（Ｃ）に示す（Ｂ）の本考案の装飾体を並列にした場合に所定強さ以上を示す範囲が一層遠心方向に広がったことによるものである。
【００３０】
更に加えて、図９（Ａ）に示すように、上述した総ての実施の形態において隣り合う柱状体４，４で形成される間隔に、挿通孔が貫通したビーズ状の装飾体８０を適宜配置することで、一層美観に優れたものとすることができる。そして、その装飾体８０は、図９（Ｂ）に示すように挿通孔４１の大径部４１ｂが対向する部分に配置するものとすれば、その収まりがよいものとなる。
【００３１】
以上述べたように、本考案の実施の形態により環状装飾体の着脱が極めて容易になることに加え、サイズ調整が容易になるとともに身体各部位の断面形状に対応して変形するものとなり、優れた装着性と美観を実現できるものである。
【図面の簡単な説明】
【００３２】
【図１】本考案における留め具の基本的構成・作用を説明するための部分平面図。
【図２】（Ａ）は、図１の留め具の線状係止部の拡大した部分縦断面図、（Ｂ）はその装着時の係止状態を示す拡大した部分縦断面図。
【図３】（Ａ），（Ｂ），（Ｃ）は図１の留め具の固定方法を説明するための部分平面図。
【図４】本考案における第一の実施の形態の環状装身具を示す平面図。
【図５】本考案における第二の実施の形態の環状装身具を示す平面図。
【図６】本考案における第三の実施の形態の環状装身具を示す平面図。
【図７】図６の環状装身具の使用状態を示す斜視図。
【図８】（Ａ），（Ｂ），（Ｃ）は図６の環状装身具の異なる使用状態を示す平面図。
【図９】（Ａ）は図４，図５，図６の環状装身具に共通した応用例を示す部分平面図、（Ｂ）は（Ａ）の線状係止部の拡大した部分縦断面図。
【図１０】（Ａ），（Ｂ），（Ｃ）は従来例と本考案において、磁力が所定の強さ以上となる範囲を比較するための平面図。
【符号の説明】
【００３３】
１Ａ，１Ｂ，１Ｃ，１Ｄ  環状装身具、２Ａ，２Ｂ，２Ｃ，２Ｄ  留め具、３Ａ，３Ｂ，３Ｃ  線状係止部、４  柱状体、５Ａ，５Ｂ，５Ｄ  ワイヤ、４１  挿通孔、４１ａ  小径部、４１ｂ  大径部、５１  カシメ金具、６０，８０  装飾体、７０  チェーン、
【図１】
0003120382.tif 000003
【図２】
0003120382.tif 000004
【図３】
0003120382.tif 000005
【図４】
0003120382.tif 000006
【図５】
0003120382.tif 000007
【図６】
0003120382.tif 000008
【図７】
0003120382.tif 000009
【図８】
0003120382.tif 000010
【図９】
0003120382.tif 000011
【図１０】
0003120382.tif 000012